(57)【特許請求の範囲】
【請求項１】
印字適性を有する第１シート部と、基材，粘着剤及び剥離シートの順に積層されたタックシート部である第２シート部とを、前記第１シート部の裏面及び前記基材の表面の間の擬似接着構造で接着して一体化し、分離予定線で区画された少なくとも１つの単位帳票が面方向に配置されたラベル帳票であって、
前記第２シート部の基材側から剥離シートまで到達するハーフカットによる第１剥離開始部を設けると共に、前記第１シート部にも前記第２シート部よりカット面積の小さなハーフカットによる第２剥離開始部を設け、
前記第２剥離開始部は、
前記第１シート部の前記第２シート部よりカット面積が小さな部分を、前記第１シート部の前記ハーフカットによって切り離して形成され、
前記第１剥離開始部よりもこのラベル帳票の縁部側に形成され、
前記擬似接着構造は、
前記第１剥離開始部の前記ハーフカットを跨ぐように形成され、
前記第１シート部の前記第２剥離開始部の縁部近傍には設けられておらず、
前記接着力が、前記基材及び前記剥離シート間の前記粘着層の粘着力よりも強く、
前記縁部側の接着力が、前記縁部側とは反対側の接着力よりも強いこと、
を特徴とするラベル帳票。
【発明の詳細な説明】
【０００１】
【発明の属する技術分野】
本発明は、プリンタ等で印字して、配送荷物などに貼付することができる、１ｐｔ（パート）配送伝票などを作成するのに適したラベル帳票に関するものである。
【０００２】
【従来の技術】
従来、この種のラベル帳票は、プリンタ用紙とタック紙とを、重ね合わせて一体化したカット紙タイプの帳票であり、プリンタによって、１ｐｔ配送伝票を作成するのに使用されていた。
このラベル帳票は、印字後の使用時に、タック紙の剥離紙が剥がしにくい、という問題があった。
【０００３】
図５は、ラベル帳票の従来例１を示す図である。
従来例１のラベル帳票５０は、上質紙やインクジェット用紙等の各種プリンタに応じた印字適性を有する１枚目用紙５１と、基材，粘着剤及び剥離紙の順に積層されたタック紙からなる２枚目用紙５２とを、擬似接着構造を介して一体化したものである。
ラベル帳票５０は、例えば、Ａ４の用紙を縦に用いて、届け先で受領印をもらい剥離して持ち帰る配達票５０Ａ，荷物に貼付され荷札となる貼付票５０Ｂ及びリブ５０Ｄが、右側から順に配置されている。また、同一形態の配送伝票５０−１〜５０−３がハーフカットｈｃを介して、縦方向に３片配置されている。
【０００４】
このラベル帳票５０は、カット紙用プリンタの印字前後の搬送機構で、狭いロール間を通過することが多い。このため、１枚目用紙５１を２枚目用紙５２から剥がしやすく設計すると、意図しないときにも、剥がれやすくなってしまうので、あえて、剥がしにくくしている。
また、市販のプリンタを使用するので、限られたサイズ（Ａ４やＡ３といった定型サイズが標準）から、印字エリアをできるだけ多く取りたいというニーズによって、剥がすキッカケ部分を多く作れない。
このような理由から、上述したカット紙タイプのラベル帳票５０のような形態に落ち着いている。
【０００５】
そして、このラベル帳票５０は、印字時の安定性を高めるために、給紙方向の先端部に、リブ５０Ｄと呼ばれる区画が設られている。このリブ５０Ｄは、３片の配送伝票５０−１〜５０−３を区画するためのハーフカットｈｃによる折れ曲がりを、一定範囲内に抑えて通紙適性を高めている。
【０００６】
このリブ５０Ｄは、以下の（１）〜（３）の条件をすべて満足する場合に、剥離のキッカケ部分としての利用も図れる。
（１）ラベル帳票５０が縦形形状であること
（２）２枚目用紙５２の剥離紙を剥がすキッカケ部分の配送伝票が貼付票５０Ａと呼ばれる剥離不能部分にあること
（３）作業者の利き腕が右腕であること
しかし、いずれかの条件を満たさない場合は、異なった剥離方法を採用せざるを得ない。
【０００７】
リブ５０Ｄは、プリンタの機種によって異なるものの、多くの機種において、印字不能エリアに位置しており、また、印字可能な機種においても、損紙と呼ばれる印字ミス時の再印字用の管理番号等を設けることができるため、一定の役割を持っていた。
【０００８】
図６は、ラベル帳票の従来例２を示す図である。
なお、前述した従来例１と同様な機能を果たす部分には、末尾に共通した符号を付して、重複する説明を適宜省略する。
従来例２のラベル帳票６０は、層構成としては、ラベル帳票５０と略同じ構造であるが、例えば、Ａ４の用紙を横に用いて、配達票６０Ａ，貼付票６０Ｂ，控え片６０Ｃ及びリブ６０Ｄが上側から順に配置されている。また、同一形態の配送伝票６０−１〜６０−３がハーフカットｈｃを介して、横方向に３片配置されている。
【０００９】
特に、最近の動向としては、上述したラベル帳票６０に示すように、（ａ）横型の形態であり、（ｂ）全面が剥離可能である、といった場合も多い。
この場合は、リブ６０Ｄを天面に設けているために、印字後に天面から剥がさなくてはならず、手の動きがスムーズでなく、結局、天地を逆にする等の不合理な作業を実施せざるを得なかった。
【００１０】
【発明が解決しようとする課題】
上述した従来の技術で説明したリブ方式では、例えば、図７に示すように、左端と右端の２箇所にリブ７０Ｄを、又は、図８に示すように、天面と地面の２個所にリブ８０Ｄを設ければ、利き腕を問わず、ほぼ一定の剥離のキッカケ部分を形成することができるが、印字エリアが狭くなるという問題があり、レイアウト上で制約がある場合には採用できなかった。
【００１１】
図７，図８において、リブ７０Ｄ，８０Ｄの一枚目用紙７１，８１を剥離した粕上げ方式もあるが、前記リブ方式と同様の位置関係であるので、剥離のキッカケ部分としては問題なくなるが、やはり印字エリアが狭くなる、という問題は依然として残っている。つまり、限られたサイズから現状と同等の印字エリアを確保しながら、剥離紙を剥がしやすくするキッカケ部分を形成することは、困難であった。
【００１２】
このような問題を解決するために、リブの部分を掴まない方法として、例えば、隣接しあう配送伝票の間に設けられたハーフカットｈｃの部分を表面側が山型になるように、緩やかに折り曲げて、両片とも剥離紙から浮き上がらせる、という方法がある。
この方法であれば、追加のコストも不要であり、実用性も低くないはずであるが、ラベル帳票を貼付する手が左端は左手、右端は右手、中央はいずれか一方になる、ということから、作業性が悪く、実作業に従事する作業者からの評判はよくなかった。
【００１３】
本発明の課題は、印字エリアの確保を含めた印字適性がよく、剥離紙が剥がしやすいラベル帳票を提供することがある。
【００１４】
【課題を解決するための手段】
前記課題を解決するために、請求項１の発明は、印字適性を有する第１シート部と、基材，粘着剤及び剥離シートの順に積層されたタックシート部である第２シート部とを、前記第１シート部の裏面及び前記基材の表面の間の擬似接着構造で接着して一体化し、分離予定線で区画された少なくとも１つの単位帳票が面方向に配置されたラベル帳票であって、前記第２シート部の基材側から剥離シートまで到達するハーフカットによる第１剥離開始部を設けると共に、前記第１シート部にも前記第２シート部よりカット面積の小さなハーフカットによる第２剥離開始部を設け、前記第２剥離開始部は、前記第１シート部の前記第２シート部よりカット面積が小さな部分を、前記第１シート部の前記ハーフカットによって切り離して形成され、前記第１剥離開始部よりもこのラベル帳票の縁部側に形成され、前記擬似接着構造は、前記第１剥離開始部の前記ハーフカットを跨ぐように形成され、前記第１シート部の前記第２剥離開始部の縁部近傍には設けられておらず、前記接着力が、前記基材及び前記剥離シート間の前記粘着層の粘着力よりも強く、前記縁部側の接着力が、前記縁部側とは反対側の接着力よりも強いこと、を特徴とするラベル帳票である。
【００１８】
【発明の実施の形態】
ここで、本発明は、上述した相反する課題について、１ｐｔ方式の配送伝票が立体形状であることに注目した。すなわち、現在でも、２枚目用紙には印字ができないため、印字する１枚目用紙は、現状と略同サイズとし、１枚目用紙よりも２枚目用紙の一部のみを小さくなるように形成するようにしたものである。１枚目用紙よりも２枚目用紙のみを小さく形成する方法は、既存の印刷加工ラインをそのまま利用できるものでは、大別して次の２方式がある。
（１）ハーフカット方式
（２）粕上げ方式
以下、図面などを参照しながら、上記２つの方式に対応する実施形態をあげて、さらに詳しく説明する。
【００１９】
（第１実施形態）
図１は、本発明によるラベル帳票の第１実施形態を示す図である。
なお、以下に示す各実施形態では、前述した従来例と同様な機能を果たす部分には、末尾に共通した符号を付して、重複する図面や説明を適宜省略する。
第１実施形態のラベル帳票１０は、上質紙やインクジェット用紙等の各種プリンタに応じた印字適性を有する１枚目用紙１１と、基材１２ａ，粘着剤１２ｂ及び剥離紙１２ｃの順に積層されたタック紙からなる２枚目用紙１２とを、接着剤層１３ａと剥離層１３ｂからなる擬似接着構造１３を介して一体化したものである。
【００２０】
このラベル帳票１０は、例えば、Ａ４の用紙を横に用いて、配達票１０Ａ，貼付票１０Ｂ，控え片１０Ｃ及びリブ１０Ｄが上側から順に配置されている。また、同一形態の配送伝票１０−１〜１０−３がハーフカットｈｃを介して、横方向に３片配置されている。
【００２１】
このラベル帳票１０は、剥離開始部を設けるために、１枚目用紙１１よりも２枚目用紙１２の一部のみを小さくするように形成する方式として、「ハーフカット」方式を採用したものであり、リブ１０Ｄと同様に、通常行われる１枚目用紙１１側から２枚目用紙１２側の剥離紙１２ｃを残す状態で刃入れしたハーフカット１４を形成したものである。剥離紙１２ｃを剥離したときに、ハーフカット１４で区画された外側の部分は、剥離紙１２ｃ側に残るようにしてある。
【００２２】
このハーフカット１４は、図１（Ｂ）に示したように、三角コーナー状であり、剥離のキッカケ部としては使用しやすいものの、印字中に脱落する危険性があり、このままでは実用的でない。このために、ハーフカット１４は、２枚目用紙１２のみに設け、１枚目用紙１１でフタをする構成としたものである。
【００２３】
つまり、２枚目用紙１２にコーナーカット状となるようなハーフカット１４を設けておき、このハーフカット１４を跨ぐように、又は、近接した状態で接着剤層１３ａを設けて、印字エリアを従来と同等としながら、プリンタ適性と剥離しやすさとを確保するようにしたものである。
この場合、左下端の接着剤１３ａが塗布されていない部分Ａに指を挟み、１枚目用紙１１を持ち上げると、２枚目用紙１２までが剥離するようになるため、コーナーカット等のサイズを調整することによって、軍手等の手袋をしたままでもラベル帳票１０の貼付がやりやすくなる、という効果がある。
【００２４】
このとき、１枚目用紙１１と２枚目用紙１２間の接着力が低いと、配送伝票を荷物に貼った後に剥がす１枚目用紙１１の各票１１−１〜１１−３のカールが小さく、保管しやすくなる反面、剥離紙１２ｃから剥がしづらくなるため、粘着剤１２ｂ−剥離紙１２ｃ間の接着力に対して、１枚目用紙１１−２枚目用紙１２間の接着力を２倍以上、望ましくは、５倍以上に設定しておくことが望ましい。
また、剥離のキッカケ部分の端部のみ、１ｍｍ幅程度の強接着部を設けることが望ましい。
【００２５】
また、ハーフカット（コーナーカット）１４は、図示した横形形態において、左端の帳票１０−１のみでもよいし、全帳票１０−１〜１０−３に設けてもよい。左端の帳票１０−１のみでもよい理由は、左端から順に剥がすことによって、残り２片の帳票１０−２，１０−３は、残った剥離紙１２ｃをきっかけとして使用できるからである。
なお、使用する業者によっては、３片の配送伝票１０−１〜１０−３を分離して使用する場合があり、この場合には、全片の２枚目左下端にコーナーカットを設けた方がよい。
【００２６】
図２は、第１実施形態のラベル帳票の変形形態を示す図である。
このラベル帳票２０は、２枚目用紙２２の基材側から剥離紙まで到達するハーフカット２４を設けると共に、１枚目用紙２１にも２枚目用紙２２より小さなハーフカット（コーナーカット）２５を設けるようにしたものである。
このようにすれば、１枚目用紙２１と２枚目用紙２２の間に、確実に指がかかり、より容易に剥離することが可能となる。このときには、印字エリアを必要以上に狭めないようにレイアウト等を工夫することが望ましい。
【００２７】
（第２実施形態）
図３は、本発明によるラベル帳票の第２実施形態を示す図である。
第２実施形態のラベル帳票３０は、２枚目用紙３２の基材３２ａ側から剥離紙３２ｃまで到達するハーフカット３４を設け、ハーフカット３４で区画された外側の部分を、予め取り除いて、いわゆる、粕上げしたものである。
【００２８】
図４は、第２実施形態のラベル帳票の変形形態を示す図である。
このラベル帳票４０は、２枚目用紙４２の基材側から剥離紙まで到達するハーフカット４４を設けると共に、１枚目用紙４１にも２枚目用紙４２より小さなハーフカット（コーナーカット）４５を設けるようにしたものである。
【００２９】
（変形形態）
以上説明した実施形態に限定されることなく、種々の変形や変更が可能であって、それらも本発明の均等の範囲内である。
（１）  例えば、コーナーカットで例示したが、例えば、２枚目用紙のみに、リブのような一直線のハーフカットを設けたり、粕上げした形態であっても構わない。
（２）  横形態の例で説明したが、従来例１として図５で説明した縦形態にも同様にして適用することができる。
（３）  疑似接着構造は、剥離層と接着剤層との順番を逆にしてもよい。
【００３０】
【発明の効果】
以上詳しく説明したように、本発明によれば、印字エリアは従来と同等に確保しながら、剥離シートの剥離をしやすく、かつ、プリント時にリブが脱落するといった問題を発生させにくいという効果を有し、産業上に有用に利用できるものである。
【図面の簡単な説明】
【図１】本発明によるラベル帳票の第１実施形態を示す図である。
【図２】第１実施形態のラベル帳票の変形形態を示す図である。
【図３】本発明によるラベル帳票の第２実施形態を示す図である。
【図４】第２実施形態のラベル帳票の変形形態を示す図である。
【図５】ラベル帳票の従来例１を示す図である。
【図６】ラベル帳票の従来例２を示す図である。
【図７】従来例１によるラベル帳票の課題を説明する図である。
【図８】従来例２によるラベル帳票の課題を説明する図である。
【符号の説明】
１０，２０，３０，４０
１１，２１，３１，４１  １枚目用紙
１２，２２，３２，４２  ２枚目用紙
１４，２４，３４，４４  ハーフカット
２５，４５  ハーフカット
【図１】
0004747453.tif 000002
【図２】
0004747453.tif 000003
【図３】
0004747453.tif 000004
【図４】
0004747453.tif 000005
【図５】
0004747453.tif 000006
【図６】
0004747453.tif 000007
【図７】
0004747453.tif 000008
【図８】
0004747453.tif 000009